(57)【要約】  【課題】  管理しているホームページのアクセスの向上を目的として検索エンジンに対してURLの登録をする際の効率を上げることを課題とする。  【解決手段】  インターネット上の複数のホームページごとに、各ホームページをリンク対象として設定している他のホームページのＵＲＬを記憶している複数の検索サーバーに接続されるホームページ管理装置であり、管理対象となるホームページのＵＲＬである管理ＵＲＬの指定を受け付ける管理URL指定受付手段と、受け付けられた前記管理ＵＲＬに記憶されたホームページをリンク対象として設定している他のホームページのＵＲＬをリンク元ＵＲＬとして前記複数の検索サーバーから取得するリンク元ＵＲＬ取得手段と、取得された一以上のリンク元ＵＲＬから重複を排除してリンク元ＵＲＬ群を抽出するリンク元ＵＲＬ群抽出手段と、抽出されたリンク元ＵＲＬ群を記憶するリンク元ＵＲＬ群記憶手段とを有する。【選択図】  図３
2005071318.tif 000002
【特許請求の範囲】
【請求項１】
インターネット上の複数のホームページごとに、各ホームページをリンク対象として設定している他のホームページのＵＲＬ（Unique Resource Locator）を記憶している複数の検索サーバーに接続されるホームページ管理装置であって、
管理対象となるホームページのＵＲＬである管理ＵＲＬの指定を受け付ける管理ＵＲＬ指定受付手段と、
受け付けられた前記管理ＵＲＬに記憶されたホームページをリンク対象として設定している他のホームページのＵＲＬをリンク元ＵＲＬとして前記複数の検索サーバーから取得するリンク元ＵＲＬ取得手段と、
取得された一以上のリンク元ＵＲＬから重複を排除してリンク元ＵＲＬ群を抽出するリンク元ＵＲＬ群抽出手段と、
抽出されたリンク元ＵＲＬ群を記憶するリンク元ＵＲＬ群記憶手段と
を有するホームページ管理装置。
【請求項２】
前記ホームページ管理装置において、さらに、
前記リンク元ＵＲＬ群に属する少なくとも一部のＵＲＬをインターネット上の一以上の検索サーバーへ登録するリンク元ＵＲＬ群登録手段を有する請求項１に記載のホームページ管理装置。
【請求項３】
インターネット上の一以上の検索サーバーと管理対象となるホームページを記憶するＷＷＷ（World Wide Web）サーバーに接続されるホームページ管理装置であって、
管理対象となるホームページのＵＲＬである管理ＵＲＬの指定を受け付ける管理ＵＲＬ指定受付手段と、
受け付けられた前記管理ＵＲＬおよび当該ＵＲＬの下位のすべてのパスをグループＵＲＬ群として前記ＷＷＷサーバーから取得するグループＵＲＬ群取得手段と、
取得されたグループＵＲＬ群に属するすべてのＵＲＬを記憶するグループＵＲＬ群記憶手段と
前記グループＵＲＬ群に属する少なくとも一部のＵＲＬを前記一以上の検索サーバーに登録するグループＵＲＬ群登録手段と
を有するホームページ管理装置。
【請求項４】
コンピューターに請求項１から３のいずれか１項に記載のホームページ管理装置としての機能を実現させるプログラム。
【発明の詳細な説明】
【技術分野】
【０００１】
本発明はホームページを管理する装置に関し、特に、管理するホームページを検索エンジンに登録するための装置に関する。
【背景技術】
【０００２】
インターネットの発展により、世界中の事業者や個人がホームページを公開するようになり、無数のホームページがインターネット上に存在する。このために、ホームページを検索条件によって検索する検索エンジンといわれるウエブサイトが多くの事業者により運営されている。検索エンジンにはインターネット上のホームページ情報を自動的に収集するロボット型の検索エンジンと、人間の検閲者が収集したホームページをカテゴリに分けて登録するディレクトリ型の検索エンジンがある。近年、リンクされている数によりホームページを評価する手法の導入によりロボット型の検索エンジンの信憑性が高まりアクセス数を伸ばしている。このような検索エンジンでは、他のホームページによってリンクが設定されているページは優秀であるとの推測により、リンクが設定されている数が多いホームページを検索結果の上位に表示するようになっている。
ロボット型検索エンジンは定期的に更新されるが、外部からホームページの登録申請も行えるのでホームページの開設者は確実に登録してもらうためには登録申請を行うことが望ましい。登録申請はロボット型検索エンジンの提供するプログラムに従って、登録するＵＲＬ（Unique Resource Locator）を送信すれば完了する。
【発明の開示】
【発明が解決しようとする課題】
【０００３】
ところで、ホームページの評価の基準となるリンク元のページは通常はロボット型検索エンジンが自動的にインターネット上を巡回して登録する。しかし、ロボット型検索エンジンは更新までに１ヶ月から３ヶ月かかるために、更新時にたまたまリンク元のホームページを記憶したサーバーがダウンしていたりすると、リンクが設定されていることが認識されずホームページの評価が低くなってしまう。この結果として検索結果の上位に対象となるホームページが表示されないという問題が生じる。また、検索エンジンごとに更新プログラムが異なるために、すべてのリンク元のホームページが登録されるとは限らないので、これによってもホームページの評価が低くなる可能性がある。これを防止するためには、リンク元のホームページも登録申請をすることであるが、インターネット上のすべてのリンク元となるホームページのＵＲＬを知ることは容易ではない。
また、ホームページはほとんど階層構造になっており、トップページが記憶されているＵＲＬの下位のパスに複数のページが記憶されている。ホームページ全体のアクセスを伸ばすためには下位のパスを含んだすべてのＵＲＬを登録申請することが望ましいが、全ページが数十から数百になるホームページもあり登録申請は大変手間がかかるものとなる。
以上のことを鑑み、本発明は、管理しているホームページのアクセスの向上を目的として検索エンジンに対してＵＲＬの登録をする際の効率を上げることを課題とする。
【課題を解決するための手段】
【０００４】
上記課題を解決するために本発明は次のような構成を有する。
請求項１に記載の発明は、インターネット上の複数のホームページごとに、各ホームページをリンク対象として設定している他のホームページのＵＲＬ（Unique Resource Locator）を記憶している複数の検索サーバーに接続されるホームページ管理装置であり、管理対象となるホームページのＵＲＬである管理ＵＲＬの指定を受け付ける管理ＵＲＬ指定受付手段と、受け付けられた前記管理ＵＲＬに記憶されたホームページをリンク対象として設定している他のホームページのＵＲＬをリンク元ＵＲＬとして前記複数の検索サーバーから取得するリンク元ＵＲＬ取得手段と、取得された一以上のリンク元ＵＲＬから重複を排除してリンク元ＵＲＬ群を抽出するリンク元ＵＲＬ群抽出手段と、抽出されたリンク元ＵＲＬ群を記憶するリンク元ＵＲＬ群記憶手段とを有する。
【０００５】
請求項２に記載の発明は、前記ホームページ管理装置において、さらに、前記リンク元ＵＲＬ群に属する少なくとも一部のＵＲＬをインターネット上の一以上の検索サーバーへ登録するリンク元ＵＲＬ群登録手段を有する。
【０００６】
請求項３に記載の発明はインターネット上の一以上の検索サーバーと管理対象となるホームページを記憶するＷＷＷ（World Wide Web）サーバーに接続されるホームページ管理装置であり、管理対象となるホームページのＵＲＬである管理ＵＲＬの指定を受け付ける管理ＵＲＬ指定受付手段と、受け付けられた前記管理ＵＲＬおよび当該ＵＲＬの下位のすべてのパスをグループＵＲＬ群として前記ＷＷＷサーバーから取得するグループＵＲＬ群取得手段と、取得されたグループＵＲＬ群に属するすべてのＵＲＬを記憶するグループＵＲＬ群記憶手段と、前記グループＵＲＬ群に属する少なくとも一部のＵＲＬを前記一以上の検索サーバーに登録するグループＵＲＬ群登録手段とを有する。
請求項４に記載の発明は、コンピューターに請求項１から３のいずれか１項に記載のホームページ管理装置としての機能を実現させるプログラムである。
【発明の効果】
【０００７】
本発明は次のような効果を奏する。
請求項１に記載の発明は、複数の検索サーバーから管理対象となるホームページにリンクを設定している他のホームページのＵＲＬであるリンク元ＵＲＬを取得することができる。従って、一つの検索サーバーに不備があったり、検索サーバーのプログラムの設定に合わなかったりして、リンク元ＵＲＬを取りこぼしていたとしても、別のいずれかの検索サーバーが高い確率でこの取りこぼされたリンク元ＵＲＬを登録しているので、ほとんどすべてのリンク元ＵＲＬを得ることができる。
請求項２に記載の発明は、一以上の検索サーバーにリンク元ＵＲＬを登録するので、管理者の労力を削減することができるとともに、管理対象のホームページの当該検索サーバーにおける評価を維持もしくは高めることができる。
請求項３に記載の発明は、管理対象となるホームページのＵＲＬとそのＵＲＬの下位に記憶されるＵＲＬをグループＵＲＬとしてＷＷＷサーバーから取得するので、最も最新のグループＵＲＬを得ることができるとともに、自動的に一以上の検索サーバーにグループＵＲＬを登録するので、管理者の労力を軽減することができる。
請求項４に記載の発明は、一般的なコンピューターにより上記のホームページ管理装置を実現することができる。
【発明を実施するための最良の形態】
【０００８】
以下、本発明の実施の形態について、図面を参照しながら説明する。
図１に本実施の形態に係るホームページ管理装置Ａが属するネットワークを模式的に示す。図１においてホームページ管理装置Ａはインターネットを経由して、検索エンジンサイトを運営する複数の検索サーバーＸと、管理対象となるホームページを記憶している複数のＷＷＷサーバーＹと、複数のホームページの管理者の端末コンピューターＵとに接続されている。ホームページ管理装置Ａはサーバーであり、ホームページ管理者の端末コンピューターＵからの指示を受け付ける。検索サーバーＸが運営するのはロボット型の検索エンジンであり、検索対象となるホームページデータおよび、各ホームページデータごとにこのホームページをリンク対象として設定している他のホームページのＵＲＬを記憶している。
【０００９】
図２にホームページ管理装置Ａのハードウエア構成を模式的に表すブロック図を示す。ホームページ管理装置Ａは一般的なコンピューターにより構成され、具体的には演算処理を行うCPU１１、CPUの作業領域となるRAM１２、基本的なプログラムやデータを記録するROM１３、CPUの動作タイミングを取るためのクロック１４、データやプログラムを記憶するためのハードディスク１５、インターネットに接続するためのルーター等のネットワークインターフェース１６などにより構成される。ホームページ管理装置Ａはこのような一般的なコンピューターに下記に示すような動作を行わせるプログラムを組み込むことにより実現される。
【００１０】
図３に本実施の形態に係るホームページ管理装置Ａの機能を模式的に表す機能ブロック図を示す。本ホームページ管理装置Ａは機能的にＨＰ記憶部１０１、ＨＰ送信部１０２、管理ＵＲＬ指定受付部１０３、リンク元ＵＲＬ取得部１０４、リンク元ＵＲＬ群抽出部１０５、リンク元ＵＲＬ群記憶部１０６、ＨＰ生成部１０７、リンク元ＵＲＬ群登録指示受付部１０８、リンク元ＵＲＬ群登録部１０９、グループＵＲＬ群取得部１１０、グループＵＲＬ群記憶部１１１、グループＵＲＬ群登録指示受付部１１２、グループＵＲＬ群登録部１１３を含む
ＨＰ記憶部１０１は、ホームページ管理者の端末コンピューターＵからの要求に応じて送信するホームページデータを記憶する。
ＨＰ送信部１０２は、端末コンピューターＵからの要求に応じてＨＰ記憶部１０１に記憶されたホームページデーターを端末コンピューターＵへ送信する。
管理ＵＲＬ指定受付部１０３は、端末コンピューターＵへ送信されるホームページから送信される管理対象となるホームページのＵＲＬである管理ＵＲＬの指定を受け付ける。
リンク元ＵＲＬ取得部１０４は、管理ＵＲＬ指定受付部１０３により受け付けられた管理ＵＲＬに記憶されたホームページをリンク対象として設定している他のホームページのＵＲＬを前記複数の検索サーバーＸからリンク元ＵＲＬとして取得する。
リンク元ＵＲＬ群抽出部１０５は、リンク元ＵＲＬ取得部１０４により取得された一以上のリンク元ＵＲＬから重複を排除してリンク元ＵＲＬ群を抽出する。
リンク元ＵＲＬ群記憶部１０６は、抽出されたリンク元ＵＲＬ群を記憶する
【００１１】
ＨＰ生成部１０７は、ホームページ管理装置Ａの動作により更新されるホームページを所定のプログラムに従って生成する。
リンク元ＵＲＬ群登録指示受付部１０８は、端末コンピューターＵに送信されたホームページから送信される前記リンク元ＵＲＬ郡の登録指示を受け付ける。
リンク元ＵＲＬ群登録部１０９は、リンク元ＵＲＬ群登録指示受付部１０８により受け付けられた登録指示に従って、前記リンク元ＵＲＬ群に属するすべてのＵＲＬをインターネット上の一以上の検索サーバーへ登録する。具体的には、登録されているすべてのロボット型の検索サーバーへリンク元ＵＲＬ群に属するすべてのＵＲＬを所定のホームページに自動入力することにより登録を行う。
【００１２】
グループＵＲＬ群取得部１１０は、管理ＵＲＬ指定受付部１０３により受け付けられた前記管理ＵＲＬおよび当該ＵＲＬの下位のすべてのパスをグループＵＲＬ群としてＷＷＷサーバーＹから取得する。
グループＵＲＬ群記憶部１１１は、取得されたグループＵＲＬ群に属するすべてのＵＲＬを記憶する。
グループＵＲＬ群登録指示受付部１１２は、端末コンピューターＵに送信されたホームページから送信される前記グループＵＲＬ郡の登録指示を受け付ける
グループＵＲＬ群登録部１１３は、グループＵＲＬ群登録指示受付部１１２により受け付けられた登録指示に従って、前記グループＵＲＬ群に属するすべてのＵＲＬを前記一以上の検索サーバーに登録する。具体的には、具体的には、登録されているすべてのロボット型の検索サーバーＸへグループＵＲＬ群に属するすべてのＵＲＬを所定のホームページに自動入力することにより登録を行う。
【００１３】
次に、上記のような構成を有するホームページ管理装置Ａの動作について説明する。まず、リンク元ＵＲＬ群を登録する動作について説明する。図４にこの動作を表すフローチャートを示す。最初に、リンク元ＵＲＬ群を登録しようとするホームページの管理者は端末コンピューターＵを通じて、管理ＵＲＬの受付画面送信を要求してくるのでＨＰ送信部１０２はこれを受け付けて端末コンピューターＵへリンク元ＵＲＬ登録用の管理ＵＲＬ受付画面を送信する（ｓ１０１）。図５（ａ）にリンク元ＵＲＬ登録用の管理ＵＲＬ受付画面５００の例を示す。管理ＵＲＬ受付画面５００は管理ＵＲＬを入力する入力ボックス５０１と入力を確定しホームページ管理装置Ａへ送信することを指示する実行ボタン５０２が含まれる。この管理ＵＲＬ受付画面５００から管理者は管理するホームページのＵＲＬを送信してくるので、管理ＵＲＬ受付部１０３はこれを受け付ける（ｓ１０２）。管理ＵＲＬ受付画面５００を通じて受け付けられた管理ＵＲＬに基づいて、リンク元取得部１０４は複数の検索サーバーＸへアクセスして、この管理ＵＲＬに記憶されたホームページをリンク対象として設定している他のホームページのＵＲＬをリンク元ＵＲＬとして取得する（ｓ１０３）。そして、リンク元ＵＲＬ群抽出部１０５が取得されたリンク元ＵＲＬより重複を排除してリンク元ＵＲＬ群を抽出する（ｓ１０４）。リンク元ＵＲＬ群が抽出されると、リンク元ＵＲＬ群記憶部１０６がこれを記憶するとともに（ｓ１０５）、ＨＰ生成部１０７がリンク元ＵＲＬ群を表示したリンク元ＵＲＬ群表示画面を生成し、ＨＰ送信部１０２がこれを端末コンピューターＵへ送信する（ｓ１０６）。
【００１４】
図５（ｂ）にリンク元ＵＲＬ群表示画面６００の例を示す。リンク元ＵＲＬ群表示画面６００には、リンク元ＵＲＬ群中のＵＲＬ数の表示６０１、リンク元ＵＲＬ群中の各ＵＲＬの表示６０２及びリンク元ＵＲＬ群の登録指示命令をホームページ管理装置Ａへ送信するための登録ボタン６０３が含まれる。ホームページの管理者がこのリンク元ＵＲＬ群表示画面６００から登録ボタン６０３を選択すると、登録指示がホームページ管理装置Ａへ送信されるので、リンク元ＵＲＬ群登録指示受付部１０８はこれを受けつけ（ｓ１０７）、リンク元ＵＲＬ群登録部１０９がリンク元ＵＲＬ群記憶部１０６に記憶されたリンク元ＵＲＬ群中の各ＵＲＬをそれぞれの検索サーバーＸへ登録する（ｓ１０８）。以上でリンク元ＵＲＬ群の登録作業は完了する。
【００１５】
次に、ホームページ管理装置ＡのグループＵＲＬ群を登録する動作について説明する。図６にこの動作を示すフローチャートを示す。まず、グループＵＲＬ群を登録しようとするホームページの管理者は端末コンピューターＵを通じて、管理ＵＲＬの受付画面送信を要求してくるのでＨＰ送信部１０２はこれを受け付けて端末コンピューターＵへグループＵＲＬ登録用の管理ＵＲＬ受付画面を送信する（ｓ２０１）。図７（ａ）にグループＵＲＬ用の管理ＵＲＬ受付画面７００の例を示す。管理ＵＲＬ受付画面７００は管理ＵＲＬを入力する入力ボックス７０１と入力を確定しホームページ管理装置Ａへ送信することを指示する実行ボタン７０２が含まれる。この管理ＵＲＬ受付画面７００から管理者は管理するホームページのＵＲＬを送信してくるので、管理ＵＲＬ受付部１０３はこれを受け付ける（ｓ２０２）。
【００１６】
管理ＵＲＬ受付画面７００を通じて受け付けられた管理ＵＲＬに基づいて、グループＵＲＬ群取得部１１０はＷＷＷサーバーＹへアクセスして、管理ＵＲＬおよび当該ＵＲＬの下位のすべてのパスをグループＵＲＬ群としてＷＷＷサーバーＹから取得する（ｓ２０３）。グループＵＲＬ群が取得されると、グループＵＲＬ群記憶部１１１がこれを記憶するとともに（ｓ２０４）、ＨＰ生成部１０７がグループＵＲＬ群を表示したグループＵＲＬ群表示画面を生成し、ＨＰ送信部１０２がこれを端末コンピューターＵへ送信する（ｓ２０６）。図７（ｂ）にグループＵＲＬ群表示画面８００の例を示す。グループＵＲＬ群表示画面８００には、グループＵＲＬ群中のＵＲＬ数の表示８０１、グループＵＲＬ群中の各ＵＲＬの表示８０２及びリンク元ＵＲＬ群の登録指示命令をホームページ管理装置Ａへ送信するための登録ボタン８０３が含まれる。ホームページの管理者がこのグループＵＲＬ群表示画面８００から登録ボタン８０３を選択すると、登録指示がホームページ管理装置Ａへ送信されるので、グループＵＲＬ群登録指示受付部１１２はこれを受けつけ（ｓ２０６）、グループＵＲＬ群登録部１１３がグループＵＲＬ群記憶部１１１に記憶されたグループＵＲＬ群中の各ＵＲＬをそれぞれの検索サーバーＸへ登録する（ｓ２０７）。以上でグループＵＲＬ群の登録作業は完了する。
なお、上記実施の形態ではリンク元ＵＲＬ群記憶部とグループＵＲＬ群記憶部を別途設けているが、ＨＰ記憶部にリンク元ＵＲＬ群を示すホームページ及びグループＵＲＬ群を示すホームページが生成されるので、これを代用することも可能である。
【図面の簡単な説明】
【００１７】
【図１】実施の形態に係るホームページ管理装置の属するネットワークを模式的に示す図である。
【図２】実施の形態に係るホームページ管理装置のハードウエア構成を模式的に示すブロック図である。
【図３】実施の形態に係るホームページ管理装置の機能を模式的に示す機能ブロック図である。
【図４】実施の形態に係るホームページ管理装置のリンク元ＵＲＬ群を登録する動作を示すフローチャートである。
【図５】（ａ）はリンク元ＵＲＬ用の管理ＵＲＬ受付画面の例を示す図であり、（ｂ）はリンク元ＵＲＬ群表示画面の例を示す図である。
【図６】実施の形態に係るホームページ管理装置のグループＵＲＬ群を登録する動作を示すフローチャートである。
【図７】（ａ）はグループＵＲＬ用の管理ＵＲＬ受付画面の例を示す図であり、（ｂ）はグループＵＲＬ群表示画面の例を示す図である。
【符号の説明】
【００１８】
１０３  管理ＵＲＬ指定受付部
１０４  リンク元ＵＲＬ取得部
１０５  リンク元ＵＲＬ群抽出部
１０６  リンク元ＵＲＬ群記憶部
１０９  リンク元ＵＲＬ群登録部
１１０  グループＵＲＬ群取得部
１１１  グループＵＲＬ群記憶部
１１３  グループＵＲＬ群登録部
【図１】
2005071318.tif 000003
【図２】
2005071318.tif 000004
【図３】
2005071318.tif 000005
【図４】
2005071318.tif 000006
【図５】
2005071318.tif 000007
【図６】
2005071318.tif 000008
【図７】
2005071318.tif 000009